(57)【特許請求の範囲】
【請求項１】
複数列設された遊技機から排出される遊技球を回収する回収通路と、該回収通路にて回収された遊技球を揚送する揚送装置と、前記回収通路が複数接続され該複数の回収通路の遊技球を合流させて前記揚送装置へ流入可能とする合流通路と、を備える遊技機設置島であって、
前記合流通路の少なくとも一部を構成するとともに、該合流通路における前記複数の回収通路の遊技球が合流する合流部に該回収通路に対し変位可能に設けられた可動通路部材と、
前記可動通路部材を、前記回収通路の遊技球を前記揚送装置へ流入可能とする流入位置と、前記回収通路の遊技球の前記揚送装置への流入を規制する規制位置との間で変位させる駆動手段と、を備え、
前記可動通路部材は、
遊技球が通過する通路部と、
前記通路部の周縁における前記複数の回収通路それぞれに対応する位置に設けられ、該回収通路から該通路部への遊技球の流入を規制する規制部と、を含み、
前記規制位置では、前記通路部が前記回収通路の上方に位置するとともに、前記規制部が前記回収通路側に進出して、前記複数の回収通路から前記通路部への遊技球の流入を一斉に規制し、
前記流入位置では、前記通路部が前記回収通路と同高さまたは下方に位置するとともに、前記規制部が前記回収通路から退避して、前記複数の回収通路から前記通路部への遊技球の流入の規制を一斉に解除する
ことを特徴とする遊技機設置島。
【請求項２】
前記可動通路部材は、前記回収通路の幅方向の一端側に、該幅方向に対し略直交する方向に設けられた回動軸を中心として揺動可能に設けられる
ことを特徴とする請求項１に記載の遊技機設置島。
【発明の詳細な説明】
【技術分野】
【０００１】
本発明は、複数列設された遊技機から排出される遊技球を回収する回収通路と、該回収通路にて回収された遊技球を揚送する揚送装置と、前記回収通路が複数接続され該複数の回収通路の遊技球を合流させて前記揚送装置へ流入可能とする合流通路と、を備える遊技機設置島に関する。
【背景技術】
【０００２】
複数のパチンコ遊技機等が列設される遊技機設置島には、一般的にパチンコ遊技機等から排出された遊技球を回収する回収通路と、該回収通路にて回収された遊技球を遊技機設置島の上部まで揚送する揚送装置と、が主に設置されており、揚送装置としては、例えば揚送される遊技球に臨むように上下方向に張設された帯状の研磨布により遊技球を研磨しつつ揚送するもの等がある。
【０００３】
このような揚送装置には前記回収通路が接続され、回収された遊技球が流入するようになっているが、例えば、遊技場の営業時間内においてパチンコ遊技機の稼動率が低く揚送する遊技球が極めて少ない場合や、研磨布の交換等のメンテナンス作業を行う場合にあっては、揚送駆動を停止する必要がある。しかし揚送通路内に遊技球が残存した状態で揺動駆動を停止すると、残存している遊技球の重さにより、揚送駆動を再開する際に大きな負荷が掛かってしまう。
【０００４】
そこで、複数の櫛歯状部が間隔を介して設けられた開閉扉を、回収通路としての整列樋に対し進出して揚送装置への流入を規制する規制位置と退避する退避位置との間で移動可能に設け、開閉扉を規制位置にすることにより揚送装置への遊技球の流入を堰き止めた後、揚送通路内の遊技球を抜いてから該揺動駆動を停止できるようにしたもの等があった（例えば、特許文献１参照）。
【先行技術文献】
【特許文献】
【０００５】
【特許文献１】特開２００３−１９０５９５号公報
【発明の概要】
【発明が解決しようとする課題】
【０００６】
上記特許文献１に記載の遊技機設置島では、開閉扉が回収通路としての整流樋に設けられているため、例えば揚送装置に複数の回収通路が接続される場合、開閉扉を各回収通路毎に移動可能に配設する必要があるため、部品点数が増加して構造が複雑になるので製造コストが嵩んでしまうという問題があった。
【０００７】
本発明は、このような問題点に着目してなされたもので、複数の回収通路から揚送装置への遊技球の流入を、構造が簡易で安価な装置により規制することができる遊技機設置島を提供することを目的とする。
【課題を解決するための手段】
【０００８】
前記課題を解決するために、本発明の請求項１に記載の遊技機設置島は、
複数列設された遊技機（パチンコ遊技機２）から排出される遊技球を回収する回収通路（中継樋２４Ｌ，２４Ｒ、渡り樋５０７等）と、該回収通路にて回収された遊技球を揚送する揚送装置（揚送装置２５）と、前記回収通路が複数接続され該複数の回収通路の遊技球を合流させて前記揚送装置へ流入可能とする合流通路（合流通路５５０）と、を備える遊技機設置島（遊技機設置島１）であって、
前記合流通路の少なくとも一部を構成するとともに、該合流通路における前記複数の回収通路の遊技球が合流する合流部（合流通路５５０において、中継樋２４Ｌ，２４Ｒに対応する接続口５０５Ｌ，５０５Ｒ、及び渡り樋５０７に対応する接続口５０６に囲まれた部分）に該回収通路に対し変位（揺動）可能に設けられた可動通路部材（揺動通路部材５５１）と、
前記可動通路部材を、前記回収通路の遊技球を前記揚送装置へ流入可能とする流入位置（図１３（ａ）参照）と、前記回収通路の遊技球の前記揚送装置への流入を規制する規制位置（図１３（ｂ）参照）との間で変位させる駆動手段（昇降モータ５８０、昇降ロッド５８１、ギヤボックス５８２、昇降体５８３、リンク部材５７４及び制御装置）と、を備え、
前記可動通路部材は、
遊技球が通過する通路部（通路板部５６０）と、
前記通路部の周縁における前記回収通路に対応する位置（左右側辺と後辺）に設けられ、該回収通路から該通路部への遊技球の流入を規制する規制部（規制片５６４Ｌ，５６４Ｒ，５６４Ｂ）と、を含み、
前記規制位置では、前記通路部が前記回収通路の上方に位置するとともに、前記規制部が前記回収通路側に進出して（図１３（ｂ）、図１４（ｃ）参照）、前記複数の回収通路から前記通路部への遊技球の流入を一斉に規制し、
前記流入位置では、前記通路部が前記回収通路と同高さまたは下方に位置するとともに、前記規制部が前記回収通路から退避して（図１３（ａ）、図１４（ａ）参照）、前記複数の回収通路から前記通路部への遊技球の流入の規制を一斉に解除する
ことを特徴としている。
この特徴によれば、回収通路の遊技球は、可動通路部材が流入位置にあるときは、通路部が回収通路と同じ高さか下方に位置するとともに規制部が退避するため、通路部に流入可能となり、可動通路部材が規制位置にあるときは、通路部が回収通路の上方に位置することで該通路部への流入が困難または不可となるとともに、規制部が回収通路に進出することで、通路部への流入が阻止される。また、可動通路部材を合流部に設けることで、各回収通路に対応する規制部を通路部に一体に設けることができ、これにより可動通路部材の移動に応じて複数の規制部が一斉に移動して複数の回収通路からの遊技球の流下を規制できるため、各回収通路毎に規制部を変位可能に設ける必要がないばかりか、通路部材を利用して複数の規制部を連動させることができるので、部品点数を削減して構造を簡素化し、製造コストを低減することができる。
また、本発明の請求項２に記載の遊技機設置島は、
前記可動通路部材は、前記回収通路の幅方向の一端側に、該幅方向に対し略直交する方向に設けられた回動軸を中心として揺動可能に設けられる
ことを特徴としている。
【０００９】
本発明の手段１に記載の遊技機設置島は、請求項１に記載の遊技機設置島であって、
前記規制部（規制片５６４Ｌ，５６４Ｒ，５６４Ｂ）は、前記通路部（通路板部５６０）の周縁における前記回収通路に対応する位置から下方に向けて連設される壁部にて構成されている、
ことを特徴としている。
この特徴によれば、可動通路部材が上昇することにより壁部が下方から上昇して回収通路からの遊技球の流出を規制するので、合流通路と回収通路との接続位置にある遊技球が壁部に挟まれること等が防止される。
【００１０】
本発明の手段２に記載の遊技機設置島は、請求項１または手段１に記載の遊技機設置島であって、
前記可動通路部材（揺動通路部材５５１）は、
前記回収通路（中継樋２４Ｌ，２４Ｒ、渡り樋５０７等）の幅方向の一端側に、該幅方向に対し略直交する方向に設けられた回動軸（回動軸５６７Ｌ，５６７Ｒ）を中心として揺動可能に設けられる（図１３参照）、
ことを特徴としている。
この特徴によれば、可動通路部材は、規制位置に向けて移動する際に、回収通路の幅方向の一端側から他端側に向けて徐々に回収通路上に進出していくことで、遊技球が徐々に規制または解除されるため、幅方向にわたり一斉に進出させる場合に比べて、駆動手段に無理な負荷がかかりにくい。
【００１１】
本発明の手段３に記載の遊技機設置島は、手段２に記載の遊技機設置島であって、
前記回動軸（回動軸５６７Ｌ，５６７Ｒ）は、前記回収通路（中継樋２４Ｌ，２４Ｒ）に対し該回収通路の幅方向に離れた位置に設けられている（図１３参照）、
ことを特徴としている。
この特徴によれば、回収通路の幅方向にわたり可動通路部を回収通路上に進出させることができるので、遊技球の流入を確実に規制できる。
【００１２】
本発明の手段４に記載の遊技機設置島は、請求項１または手段１に記載の遊技機設置島であって、
前記可動通路部材（揺動通路部材５５１）を、前記回収通路（中継樋２４Ｌ，２４Ｒ、渡り樋５０７等）に対し略平行な状態で前記流入位置（図１５中実線位置参照）と前記規制位置（図１５中２点鎖線線位置参照）との間で直線移動可能に支持する支持手段を備える、
ことを特徴としている。
この特徴によれば、可動通路部材は、規制位置または流入位置に移動する際に、回収通路の幅方向にわたり一斉に進出または退避するので、回収通路の遊技球を一斉に規制または解除することができるため、遊技球を速やかに規制または解除できる。また、支持手段により支持されるため、規制部に回収通路からの球圧がかかっている状態でも、安定して移動させることができる。
【図面の簡単な説明】
【００１３】
【図１】本発明の実施例としての遊技機設置島の内部構造を示す断面図である。
【図２】図１のＡ−Ａ断面図である。
【図３】図１の遊技機設置島の長手方向の中央下部を示す平面図である。
【図４】（ａ）は揚送装置を斜め前側から見た状態を示す斜視図であり、（ｂ）は揚送装置を斜め後ろ側から見た状態を示す斜視図である。
【図５】揚送装置の内部構造を示す縦断面図である。
【図６】図５のＢ−Ｂ断面図である。
【図７】揚送装置の下部構造を示す要部拡大断面図である。
【図８】シャッタ装置を斜め後ろから見た状態示す斜視図である。
【図９】シャッタ装置を斜め前から見た状態を示す斜視図である。
【図１０】シャッタ装置の内部構造を示す斜視図である。
【図１１】シャッタ装置の内部構造を示す縦断面図である。
【図１２】図１１のＣ−Ｃ断面図である。
【図１３】（ａ）は流入位置、（ｂ）は規制位置における可動通路部材と接続口との位置関係を示すである。
【図１４】シャッタ装置による流下規制状況を示す概略図である。
【図１５】変形例としてのシャッタ装置を示す断面図である。
【発明を実施するための形態】
【００１４】
本発明の実施例を以下に説明する。
【実施例】
【００１５】
本発明の実施例を図面に基づいて説明する。尚、以下の説明において、図１の手前側を遊技機設置島の前側、奥側を後側、左右方向を左右側として説明する。
【００１６】
図１に示されるように、遊技機設置島１は、左右方向に向けて細長に形成されており、その前後面には、遊技機の一例であるパチンコ遊技機２及び該パチンコ遊技機２での遊技に使用する遊技媒体としての遊技球の貸出を実施させる球貸処理機（図示略）が長手方向（左右方向）に向けて複数列設されている。
【００１７】
遊技機設置島１の略中央上部には、遊技球が貯留される上部タンク３が設けられており、この上部タンク３内に貯留された遊技球は、遊技機設置島１内の長手方向両端部に向かってそれぞれ下方に傾斜するように配設された左右の供給樋４に流入するようになっている。これら左右の供給樋４には、流下する遊技球を各パチンコ遊技機２に供給するための支流樋５が、供給樋４の前後（球の流下方向に向かって左右）の側板に、流下方向に向かって所定間隔おきに複数配設されており、これら支流樋５に供給された遊技球は、各パチンコ遊技機２の背面に設けられた球タンク６に供給されるようになっている。
【００１８】
供給樋４の下流側端部には、例えばメンテナンス時等において供給樋４内の遊技球を後述する下部樋１０Ｌ，１０Ｒ内に流出させる球抜き管７が設けられている。尚、通常時にはこの球抜き管７内を遊技球が流下しないようになっている。
【００１９】
遊技機設置島１の内部には、パチンコ遊技機２より排出されたアウト球を一時貯留するアウト球タンク８が、パチンコ遊技機２が載置される繕板１３の上面に、各パチンコ遊技機２に対応するように複数設けられている。
【００２０】
また、上部タンク３からは、該上部タンク３内部に貯留される遊技球の貯留量が所定量以上となってオーバーフローした遊技球を、遊技機設置島１の長手方向の略中央位置に配置される揚送装置２５を挟んでその左右側、つまり遊技機設置島１の左右両側（長手方向の両端側）の下部にそれぞれ配置される第１のタンクとしての島タンク９Ｌ，９Ｒそれぞれに導くオーバーフロー樋１２が左右に向けて延設されているとともに、これら左右のオーバーフロー樋１２の下流側端部からは、オーバーフロー管１８が垂下されている。
【００２１】
左右の島タンク９Ｌ，９Ｒ内には、図１〜図３に示されるように、球抜き管７及びオーバーフロー管１８から排出される遊技球が流入する下部樋１０Ｌ，１０Ｒが、それぞれ遊技機設置島１における長手方向中央に向かって下方に傾斜するように配設されている。下部樋１０Ｌ，１０Ｒ内を流下する遊技球は、前後（球の流下方向に向かって左右）の側板に複数形成された開口１１（図２参照）、及びその底板における下流側端部に形成された開口１４（図３参照）を介して、島タンク９Ｌ，９Ｒ内の長手方向に向けて遊技球が偏りなくほぼ均等に貯留されるように落下される。
【００２２】
遊技機設置島１の左側端部には、遊技者が獲得した遊技球を計数するための計数装置１５が配設されており、この計数装置１５内に投入された遊技球は、該計数装置１５に設けられている球投入口１５ａから連設された返却路１６を介して下部樋１０Ｌに流入し、島タンク９Ｌ内に排出されて貯留される。つまり、計数装置１５にて計数された計数済み球は、遊技機設置島１の内部における左側の島タンク９Ｌに返却されるようになっている。
【００２３】
第１のタンクとしての左右の島タンク９Ｌ，９Ｒ内における下部樋１０Ｌ，１０Ｒの前後側（球の流下方向に向かって左右側）には、図２，図３に示されるように、各アウト球タンク８から排出される遊技球を回収する側部樋１７Ｌ，１７Ｒが並設されている。
【００２４】
左右の島タンク９Ｌ，９Ｒと後述する揚送装置２５との間には、図１及び図３に示されるように、上面が開口する有底箱状をなすとともに、底面が遊技機設置島１の中央方向に向かって下方に傾斜する第２のタンクとしてのバッファタンク２００Ｌ，２００Ｒが設けられている。これら第１のタンクとしての島タンク９Ｌ，９Ｒ及び第２のタンクとしてのバッファタンク２００Ｌ，２００Ｒにより下部タンクが構成されている。
【００２５】
側部樋１７Ｌ，１７Ｒの下流側端部は、バッファタンク２００Ｌ，２００Ｒ内まで延設されていて、側部樋１７Ｌ，１７Ｒ内に回収された遊技球は、主に島タンク９Ｌ，９Ｒ内に貯留されることなく、直接バッファタンク２００Ｌ，２００Ｒに流下するようになっている。尚、バッファタンク２００Ｌ，２００Ｒ内に貯留された遊技球により側部樋１７Ｌ，１７Ｒの下流端開口が塞がれて、遊技球が上流側に向けて充満した場合には、側部樋１７Ｌ，１７Ｒの内側面における島タンク９Ｌ，９Ｒの下流側端部付近に形成された開口１７ａ（図３参照）から島タンク９Ｌ，９Ｒ内に落下して貯留されるようになっている。
【００２６】
バッファタンク２００Ｌ，２００Ｒにおける下流側の側板２００ａの下部には下部流出口２３ａが形成されており、該下部流出口２３ａからは、後述する揚送装置に遊技球を誘導する中継樋２４Ｌ，２４Ｒが、揚送装置２５に向けて下方に傾斜するようにそれぞれ延設されている。
【００２７】
島タンク９Ｌ，９Ｒとバッファタンク２００Ｌ，２００Ｒとの間には、第１のタンクとしての島タンク９Ｌ，９Ｒに貯留されている遊技球を、第２のタンクとしてのバッファタンク２００Ｌ，２００Ｒに揚送（移送）する移送装置としてのミニリフト２１０Ｌ，２１０Ｒが、前後の側部樋１７Ｌ，１７Ｌに挟まれるようにして設けられている。ミニリフト２１０Ｌ，２１０Ｒの下部には、島タンク９Ｌ，９Ｒの内部と連通する流入口２１０ａが形成されており、ミニリフト２１０Ｌ，２１０Ｒを駆動することにより、島タンク９Ｌ，９Ｒ内の遊技球が自然流下によりミニリフト２１０Ｌ，２１０Ｒ内部に流入して揚送され、上部に形成された排出口２１０ｂから、バッファタンク２００Ｌ，２００Ｒ内に排出されるようになっている。
【００２８】
バッファタンク２００Ｌ，２００Ｒ内部には、ミニリフト２１０Ｌ，２１０Ｒの前後に配設される側部樋１７Ｌ，１７Ｒの下流側端部が、島タンク９Ｌ，９Ｒ側の側板２００ｂにおける所定高さ位置で貫通して配設されている。バッファタンク２００Ｌ，２００Ｒの内部における前後の側部樋１７Ｌ，１７Ｌまたは側部樋１７Ｒ，１７Ｒの間には、上面が開口する箱型のミニタンク２０１Ｌ，２０１Ｒがミニリフト２１０Ｌ，２１０Ｒ側に隣接して配設されており、該ミニタンク２０１Ｌ，２０１Ｒ内には、ミニリフト２１０Ｌ，２１０Ｒにより揚送されて排出口２１０ｂから排出された遊技球が落下するようになっている。
【００２９】
そして、バッファタンク２００Ｌ，２００Ｒから中継樋２４Ｌ，２４Ｒを介して流下した遊技球は、揚送装置２５内に流入し、揚送装置２５により揚送された後、上部タンク３内に貯留される。
【００３０】
これら遊技機設置島１内に配設される供給樋４、支流樋５、オーバーフロー樋１２、オーバーフロー管１８、下部樋１０Ｌ，１０Ｒ、側部樋１７Ｌ，１７Ｒ、ミニリフト２１０Ｌ，２１０Ｒ、バッファタンク２００Ｌ，２００Ｒ、中継樋２４Ｌ，２４Ｒ、揚送装置２５とにより、遊技機設置島１内における遊技球の循環経路が構成されている。
【００３１】
また、これらのうち下部樋１０Ｌ，１０Ｒ、側部樋１７Ｌ，１７Ｒ、ミニリフト２１０Ｌ，２１０Ｒ、バッファタンク２００Ｌ，２００Ｒ、中継樋２４Ｌ，２４Ｒは、パチンコ遊技機２から排出される遊技球を回収する回収通路を構成している。
【００３２】
また、遊技機設置島１内には、揚送装置２５やミニリフト２１０Ｌ，２１０Ｒを駆動制御する制御装置（図示略）が設けられている。また、この制御装置（図示略）には、揚送装置２５、ミニリフト２１０Ｌ，２１０Ｒ、計数装置１５、が接続されているとともに、前記上部タンク３、島タンク９Ｌ，９Ｒ、ミニタンク２０１Ｌ，２０１Ｒ内に設けられた後述する各種のセンサが接続されており、各種センサからの検出状況、つまり各タンクにおける遊技球の貯留状況や、揚送装置２５の駆動状況や計数装置１５からの球の返却状況等に応じて、揚送装置２５やミニリフト２１０Ｌ，２１０Ｒの駆動制御を実施して遊技球を揚送し、遊技機設置島１内を循環させるようになっている。また、制御装置は通信ユニットを介して図示しないホールコンピュータなどの管理装置等に接続されていて、例えば、揚送装置２５やミニリフト２１０Ｌ，２１０Ｒ等が停止した場合に、該駆動が停止した旨を前記管理装置等に送信するようになっている。
【００３３】
具体的には、制御装置は、上部タンク３の貯留量が下限レベル以上、上限レベル未満である場合は、揚送装置２５を駆動し、パチンコ遊技機２から排出されて側部樋１７Ｌ，１７Ｒに回収される遊技球を、島タンク９Ｌ，９Ｒ内に貯留されている遊技球よりも優先して揚送装置２５にて揚送させる。
【００３４】
上部タンク３の貯留量が下限レベル未満になった場合は、ミニリフト２１０Ｌ，２１０Ｒ等を駆動して島タンク９Ｌ，９Ｒ内に貯留されている遊技球を流出させ、揚送装置２５にて揚送させる。尚、駆動したミニリフト２１０Ｌ，２１０Ｒは、上部タンク３の貯留量が下限レベル以上の所定レベルに達した時点で停止させる。また、制御装置は、計数装置１５が連通されている島タンク９Ｌ側のミニリフト２１０Ｌをミニリフト２１０Ｒより優先して駆動させることで、計数装置１５に投入された遊技球の貯留スペースが島タンク９Ｌに極力確保されるようにしている。
【００３５】
上部タンク３の貯留量が上限レベル以上になった場合は、揚送装置２５による遊技球の揚送を停止する処理を行う。具体的には、揚送装置２５の揚送駆動を停止する前に、後述するシャッタ装置５００により揚送装置２５への遊技球の流入を規制する。そして、揚送装置２５への遊技球の流入を規制してから所定期間（例えば、約３０秒）が経過した時点で、揚送装置２５の揚送駆動を停止する。
【００３６】
つまり、この所定期間は、揚送装置２５への遊技球の流入を規制してから、既に揚送装置２５に流入してしまっている全ての遊技球が揚送されるまでに要する時間を設定することが好ましい。よって、所定期間が経過した時点で揚送装置２５の揚送駆動を停止することで、揚送装置２５に流入した遊技球を全て揚送して揚送経路内に遊技球が残存しない状態としてから揚送駆動を停止させることができる。
【００３７】
よって、上記したように揚送駆動を間欠的に行う場合において、揚送駆動を停止させたときに揚送経路内に遊技球が残存しないことで、揚送駆動を再開させる際に遊技球による負荷がかからない状態で揚送モータ８０の駆動を開始させることができる（駆動初期時にかかる負荷を軽減できる）。また、後述する搬送ベルト１０３にも駆動開始時に大きな負荷がかからないので、搬送ベルト１０３が破損すること等を防止できる。
【００３８】
尚、このように予め定められた時間が経過してから揚送駆動を停止するのではなく、例えば揚送装置２５の排出口３８に遊技球の検出センサ等を設け、揚送装置２５への遊技球の流入を規制した後、前記検出センサが遊技球を検出してから所定時間内に新たな遊技球が検出されなかったことを条件に、揚送駆動を停止させるようにしてもよい。
【００３９】
また、揚送装置２５の駆動を停止した場合、上部タンク３の貯留量が上限レベル未満の所定レベルにまで減少してから、揚送装置２５の駆動を再開する。
【００４０】
また、揚送装置２５のメンテナンス作業等を実施する場合等には、特定の停止操作を行うことにより、揚送装置２５の揚送駆動を手動で停止させることができるようになっている。この場合においても、シャッタ装置５００により揚送装置２５への遊技球の流入を規制した後、所定期間が経過した時点で揚送装置２５の揚送駆動を停止する。
【００４１】
尚、本実施例における遊技機設置島１は、上部タンク３や島タンク９Ｌ，９Ｒ内部に貯留された遊技球のみを制御により循環して使用するいわゆる独立式の遊技機設置島であるが、例えば遊技場内に並設される他の遊技機設置島と上部タンク同士を適宜連結樋等により連結して、他の遊技機設置島間で遊技球の貯留量の調整を行うことができるようにしてもよい。また、遊技者が獲得した遊技球を計数する計数装置が各パチンコ遊技機２に対応して設けられ、各遊技機設置島内において遊技球を循環使用することが可能に構成されたユニット式の遊技機設置島であってもよい。
【００４２】
次に、揚送装置２５の詳細な構造について説明する。図４は、（ａ）は揚送装置を斜め前側から見た状態を示す斜視図であり、（ｂ）は揚送装置を斜め後ろ側から見た状態を示す斜視図である。図５は、揚送装置の内部構造を示す縦断面図である。図６は、図５のＢ−Ｂ断面図である。図７は、揚送装置の下部構造を示す要部拡大断面図である。尚、以下においては、図５〜図７の左側を揚送装置の前面側、右側を揚送装置の後面側、手前側を揚送装置の右側、奥側を揚送装置の左側として説明する。
【００４３】
揚送装置２５は、図４及び図５に示されるように、床面上にアンカー固定されるベース板１１０上に立設される上下方向に延びる柱状の本体１００と、本体１００の上部（遊技球の移送方向の下流側）に設けられた左右方向を向く回転軸１０１ａ周りに回動自在に設けられる上部ローラ１０１と、本体１００の下部（遊技球の移送方向の下流側）に設けられた左右方向を向く回転軸１０２ａ周りに回動自在に設けられる下部ローラ１０２と、これら上部ローラ１０１と下部ローラ１０２とに掛け渡される所定幅を有する無端帯状の搬送ベルト１０３と、本体１００の後面側の一側辺を中心に回動自在に設けられ、搬送ベルト１０３の上昇路に対向して配置される上下方向に延びる直線状通路１１５（図５参照）を形成する直線状通路カバー１０４と、下部ローラ１０２の下方に配置され、該下部ローラ位置における搬送ベルト１０３に遊技球を押圧するために該下部ローラ１０２の外周面に沿って略円弧状に形成されたアール状通路部材としてのアール状通路カバー１０５と、該下部ローラ１０２の下方におけるアール状通路カバー１０５の反対側に対向して配置され、アール状通路カバー１０５に遊技球を誘導する球導入部材としての球導入通路カバー１０６と、から主に構成されている。
【００４４】
これら搬送ベルト１０３の外面に対向して配置される上部通路カバー１１８、直線状通路カバー１０４、アール状通路カバー１０５、球導入通路カバー１０６は、上部ローラ１０１及び下部ローラ１０２の回転により周回する搬送ベルト１０３に遊技球を押圧して揚送するための通路部材を構成している。
【００４５】
尚、下部ローラ１０２は、本体下部に設けられる揚送モータ８０（図４参照）により駆動する駆動ローラとされ、上部ローラ１０１は従動ローラとされており、図５中矢印方向（時計回り）に回転するようになっている。また、図５に示されるように、下部ローラ１０２の上方には、搬送ベルト１０３の張力を調整可能なテンションローラ１０８と、その上下に配置される従動ローラ１０７，１０９とが回動可能に支持されており、これら従動ローラ１０７，１０９及びテンションローラ１０８の間を蛇行するように搬送ベルト１０３が掛け渡されている。尚、これら上部ローラ１０１、下部ローラ１０２、従動ローラ１０７，１０９及びテンションローラ１０８の詳細な構造は後述することとする。
【００４６】
直線状通路カバー１０４は、上下方向に延びる板状部材にて構成され、図４に示されるように、本体１００の後面における一側辺に、該本体１００の後面を開閉可能に枢着されており、他側辺に突設された上・中・下段の係止ピン１１２ａ〜１１２ｃに、本体１００に枢着された上・中・下段の係止部材１１１ａ〜１１１ｃが係止されることで、閉塞位置にてロックできるようになっている。
【００４７】
直線状通路カバー１０４の内面には、特に図６に示されるように、上下方向に延設される直線状通路１１５を形成するための略半球状の凹溝１１３が複数列（本実施例では７列）並設して形成された縦長の通路板１１４が、複数のコイルバネ１１７を介して搬送ベルト１０３に向けて付勢された状態で配置されており、直線状通路カバー１０４を閉塞位置に位置したときに、搬送ベルト１０３の外面に対向配置され、これら複数の凹溝１１３により、上下方向に延びる複数列の直線状通路１１５が形成される。
【００４８】
そしてこれら各凹溝１１３にガイドされる各直線状通路１１５内の遊技球Ｐは、この通路板１１４により搬送ベルト１０３に押圧されることにより、搬送ベルト１０３の移動により通路内を上方に向けて移動して揚送されるようになっている。つまり、通路板１１４における遊技球との対向面（内面）は、遊技球の移送面を構成している。
【００４９】
また、この通路板１１４の内面側には、各通路内を移送する遊技球を清浄する清浄部材としての清浄布１１６が敷設されていることで、この清浄布１１６を介して通路板１１４により遊技球Ｐが搬送ベルト１０３に向けて押圧されることで、搬送ベルト１０３の移動により、遊技球Ｐが清浄布１１６に摺接（当接）されながら移送されるため、遊技球が揚送とともに清浄されるようになっている。つまり、本実施例における揚送装置２５は、遊技球Ｐを清浄しながら揚送する揚送清浄装置である。
【００５０】
この清浄布１１６は帯状をなし、直線状通路カバー１０４の通路板１１４の内面に沿って上下方向（遊技球の移送方向の上流側から下流側）に張設される。該張設された清浄布１１６の上側は、直線状通路カバー１０４の上端部（下流側折返し部）にて外側下向きに折返された後、直線状通路カバー１０４の外面上部に設けられた上部クランプ装置３００（図５参照）に挿通した状態で保持され、直線状通路カバー１０４の外面に沿って敷設される。また、清浄布１１６の下側は、直線状通路カバー１０４の下端部（上流側折返し部）にて外側上向きに折返された後、直線状通路カバー１０４の外面下部に設けられた下部クランプ装置４００（図５参照）に挿通した状態で保持され、直線状通路カバー１０４の外面に沿って敷設される。
【００５１】
このように清浄布１１６は、直線状通路カバー１０４の上下端部にてそれぞれ外向きに折返され、直線状通路カバー１０４の外面に沿って引き出された上部を上部クランプ装置３００にて、下部を下部クランプ装置４００にて保持する必要があるため、少なくとも直線状通路カバー１０４の上下幅寸法、つまり、直線状通路１１５において清浄布１１６が遊技球に当接可能に敷設される清浄部の長手幅寸法よりも長尺な帯布にて構成されており、遊技球との摺接面が汚れた場合、上部クランプ装置３００及び下部クランプ装置４００による保持状態を解除し、直線状通路１１５の清浄部に配置されている清浄布１１６の使用済み部を上部または下部から引き出して、未使用部を直線状通路１１５の清浄部に配置することで交換できるようになっている。
【００５２】
このように直線状通路カバー１０４により形成される直線状通路１１５は、図５に示されるように、回転軸１０１ａから回転軸１０２ａにかけて本体１００の前面側、つまり搬送ベルト１０３の上昇側に形成されている。そして直線状通路１１５を上方に移送された遊技球Ｐは、本体１００の上部に設けられた上部通路カバー１１８により形成される円弧状の上部通路１１９により前面側（図５中右側）に折り返された後、該上部通路カバー１１８に連設された排出カバー１２０内を流下して、該排出カバー１２０に形成された排出口３８から排出され、上部タンク３内に貯留されるようになっている。
【００５３】
直線状通路１１５の下方、つまり上流側には、前述したアール状通路カバー１０５により形成されるアール状通路１２１が形成されており、本体１００の前面側下部に設けられた球流入口１２２から流入される遊技球を、上方の直線状通路１１５に向けて誘導するようになっている。
【００５４】
アール状通路１２１には、このアール状通路カバー１０５の上流側にある球流入口１２２に設けられる球導入通路カバー１０６により形成される球導入通路１２３を流下する遊技球Ｐが流入されるようになっている。
【００５５】
本体１００の下部背面側には、パチンコ遊技機２から排出される遊技球を回収する回収通路の一部を構成する中継樋２４Ｌ，２４Ｒと揚送装置２５の球流入口１２２とを接続し、該中継樋２４Ｌ，２４Ｒからの遊技球を合流させて揚送装置２５へ流入可能とする合流通路５５０を有するシャッタ装置５００が配設されている。
【００５６】
次に、シャッタ装置５００について、図８〜図１３に基づいて説明する。図８は、シャッタ装置を斜め後ろから見た状態示す斜視図である。図９は、シャッタ装置を斜め前から見た状態を示す斜視図である。図１０は、シャッタ装置の内部構造を示す斜視図である。図１１は、シャッタ装置の内部構造を示す縦断面図である。図１２は、図１１のＣ−Ｃ断面図である。図１３は、（ａ）は流入位置、（ｂ）は規制位置における可動通路部材と接続口との位置関係を示すである。図１４は、シャッタ装置による流下規制状況を示す概略図である。尚、以下においては、揚送装置の前後左右を基準として、例えば図８の左斜め下側を揚送装置の前面側、右斜め上側を揚送装置の後面側として説明する。
【００５７】
図８〜図１２に示すように、シャッタ装置５００は、ベース板１１０上に固設される本体ユニット５０１と、本体ユニット５０１の上部に設けられる駆動ユニット５０２と、から主に構成されている。本体ユニット５０１は、金属性の左右の側板５０４Ｌ，５０４Ｒ及び後板５０３により背面側が開口する箱状に形成され、内部には合流通路５５０を構成する揺動通路部材５５１及びスノコレール５５２が設けられている。
【００５８】
左右の側板５０４Ｌ，５０４Ｒの上部位置には、横長長方形状をなす接続口５０５Ｌ，５０５Ｒが形成されており、該接続口５０５Ｌ，５０５Ｒには中継樋２４Ｌ，２４Ｒが接続されている。
【００５９】
後板５０３の上部には接続口５０６が形成されており、該接続口５０６には、図示しない他の遊技機設置島の貯留タンクに接続される渡り樋５０７を連結するための連結樋５０８が、外方に向けて突出するように取り付けられている。また、接続口５０６は、接続口５０５Ｌ，５０５Ｒとほぼ同形状をなすとともに、少なくともそれぞれの下辺がほぼ同高さ位置に形成されている。
【００６０】
揺動通路部材５５１は、図１０〜図１３に示すように、平面視略正方形状をなす通路板部５６０と、通路板部５６０の前辺から上方に屈曲される前板部５６１と、前板部５６１の上辺から後方に屈曲される上板部５６２と、により側面視略コ字形に形成されている。
【００６１】
通路板部５６０は、左右の側板５０４Ｌ，５０４Ｒ及び後板５０３内面に対して３辺を近接させるように配設される。左右側辺は、接続口５０５Ｌ，５０５Ｒの下辺よりも若干長寸に形成され、後辺は、接続口５０６の下辺よりも若干長寸に形成されている。また、通路板部５６０の前後方向の略中央から後側にかけて、直径約２０ｍｍの円形の落下孔５６３が複数形成されている。よって、通路板部５６０上に流入した遊技球は落下孔５６３から落下して揚送装置２５への流入が許容されるとともに、例えば遊技球の貸し出しに使用されるプリペイドカード等の大きな異物は捕捉され、揚送装置２５への進入が防止される。
【００６２】
また、通路板部５６０の左右側辺及び後辺からは、横長長方形状をなす規制片５６４Ｌ，５６４Ｒ，５６４Ｂがそれぞれ下方に向けて屈曲形成されている。これら規制片５６４Ｌ，５６４Ｒ，５６４Ｂの上下幅寸法は、遊技球の直径２Ｒよりも長寸とされている。
【００６３】
このように、合流通路５５０の一部を構成する通路板部５６０は、回収通路である中継樋２４Ｌ，２４Ｒが接続される接続口５０５Ｌ，５０５Ｒや、渡り樋５０７が接続される接続口５０６それぞれに対応する位置に規制片５６４Ｌ，５６４Ｒ，５６４Ｂが形成されている。また、通路板部５６０は、合流通路５５０において、中継樋２４Ｌ，２４Ｒや渡り樋５０７等、複数の回収通路の遊技球が合流する合流部（合流通路５５０において、中継樋２４Ｌ，２４Ｒに対応する接続口５０５Ｌ，５０５Ｒ、及び渡り樋５０７に対応する接続口５０６に囲まれた部分）に設けられている。
【００６４】
前板部５６１の左右側辺には、軸受片５６５Ｌ，５６５Ｒが前方に向けて屈曲形成されている。軸受片５６５Ｌ，５６５Ｒには、下端から上方に向けて係止溝５６６が切欠形成されており、該係止溝５６６は、左右の側板５０４Ｌ，５０４Ｒの所定高さ位置に内側に突出するように固設されたボルトからなる左右方向を向く回動軸５６７Ｌ，５６７Ｒに上方から係止される。これにより揺動通路部材５５１は、左右方向を向く回動軸５６７Ｌ，５６７Ｒを中心として上下方向に揺動可能に設けられている。
【００６５】
上板部５６２は、接続口５０５Ｌ，５０５Ｒの上部付近に配設され、略正方形状の点検口５７０が形成されている。点検口５７０は、透光性を有する合成樹脂板からなる蓋板５７１により開閉可能に閉鎖されているため、下方の合流通路５５０内への異物やゴミ等の落下が防止されるとともに、点検口５７０から該蓋板５７１を通して合流通路５５０内を点検できるようになっている。また、蓋板５７１を開放することにより、点検口５７０から合流通路５５０内にアプローチすることができるため、ゴミ等が進入してしまった場合は点検口５７０から取り出すことができる。
【００６６】
また、上板部５６２の上面後端部には、左右方向を向く連結軸５７３が設けられており、上端が駆動ユニット５０２と連結されたリンク部材５７４の下端を軸支している。
【００６７】
揺動通路部材５５１の下方位置には、スノコレール５５２が、後側から前側に向けて下方に傾斜するように設けられ、下端が球導入通路１２３に接続されている。スノコレール５５２は、特に図１２に示すように、遊技球の流下通路の側面を形成する８本の側壁レール５５２ａと、各側壁レール５５２ａ間に配設され、遊技球の流下通路の底面を構成する７本の底壁レール５５２ｂと、これら側壁レール５５２ａ及び底壁レール５５２ｂを一体化するベース体５５２ｃと、から構成され、７列の流下通路１３５が形成されている。
【００６８】
よって、落下孔５６３から落下した遊技球は、スノコレール５５２を流下して球導入通路１２３内に流入する。また、落下孔５６３を通過してスノコレール５５２上に落下した異物は、スノコレール５５２の間隙から下方に設けられた空間Ｓに落下するので、該空間Ｓから異物を除去できる。
【００６９】
尚、落下孔５６３の直径は、合流通路５５０内に流入する遊技球をその下方のスノコレール５５２上に大量に落下させることなく、適量ずつ落下させることが可能な大きさに設定されている。このようにスノコレール５５２上への遊技球の流出量を抑制することで、スノコレール５５２やその下流側の球導入通路１２３上に多量の遊技球が流入して充満することにより、球流入口１２２付近の下部ローラ１０２や搬送ベルト１０３に高い球圧がかり、下部ローラ１０２を回転駆動させる揚送モータ（図示略）等に過剰な負荷が加わることが防止されている。
【００７０】
図１０〜図１２に示すように、駆動ユニット５０２は、本体ユニット５０１の上部に設けられる天板５７６上に固設されている。具体的には、昇降モータ５８０と、昇降モータ５８０の背面側に、軸心周りに回動可能に支持された上下方向を向く昇降ロッド５８１と、昇降モータ５８０の駆動力を昇降ロッド５８１に伝達するギヤ（図示略）が内蔵されたギヤボックス５８２と、昇降ロッド５８１に昇降可能に設けられた昇降体５８３と、昇降ロッド５８１に対し並設され、昇降体５８３を昇降案内する左右一対の案内ロッド５８４と、から主に構成されている。
【００７１】
昇降体５８３は、昇降ロッド５８１の外周に形成された雄ネジ部に螺入可能な雌ネジ部５８３ａを有し、該雌ネジ部５８３ａを介して昇降ロッド５８１の外周に螺入されている。そして案内ロッド５８４に対して長手方向に摺動可能に挿通されていることで、昇降ロッド５８１を中心とした回動が規制されている。
【００７２】
昇降体５８３には、リンク部材５７４の上端が、左右方向を向く回動軸５７５を介して軸支されている。また、左側方には検出片５８５が突設されており、昇降体５８３が上方位置にあるときは上限センサ５８６ａの検出片を押圧し、下方位置にあるときは下限センサ５８６ｂの検出片を押圧する。
【００７３】
また、昇降モータ５８０の前面側には、昇降モータ５８０及び上限センサ５８６ａ、下限センサ５８６ｂが接続される昇降基板５８７が配設されている。この昇降基板５８７は、遊技機設置島１に設けられた前記制御装置に接続されており、制御装置からの指令及び上限センサ５８６ａ、下限センサ５８６ｂの検出結果に基づいて昇降モータ５８０の駆動制御が行われるようになっている。また、駆動ユニット５０２の上部には、昇降モータ５８０を手動で駆動・停止させることが可能な手動スイッチ５８８（図８，９参照）が設けられている。
【００７４】
昇降体５８３は、下限センサ５８６ｂにより検出片５８５が検出される下限位置と、上限センサ５８６ａにより検出片５８５が検出される上限位置と、の間で上下方向に移動可能に設けられている。そして、昇降モータ５８０の駆動力がギヤボックス５８２を介して昇降ロッド５８１に伝達され、該昇降ロッド５８１が軸心周りに回動することで、案内ロッド５８４により昇降ロッド５８１を中心とした回動が規制された昇降体５８３が、上方または下方に移動する。
【００７５】
そして、このように昇降体５８３が昇降することにより、リンク部材５７４を介して揺動通路部材５５１の後端が上昇または下降させられることで、回動軸５６７Ｌ，５６７Ｒを中心として後端側が上下に揺動する。
【００７６】
具体的には、昇降体５８３が下限位置にあるとき、揺動通路部材５５１は、通路板部５６０及び規制片５６４Ｌ，５６４Ｒ，５６４Ｂが、各接続口５０５Ｌ，５０５Ｒ，５０６の下辺５０５ａより下方に、該下辺５０５ａに対して前後方向に僅かに傾斜した状態で位置する流入位置になる（図１３（ａ）参照）。
【００７７】
つまり、この流入位置では、通路板部５６０が接続口５０５Ｌ，５０５Ｒに接続される中継樋２４Ｌ，２４Ｒよりも下方に位置するとともに、規制片５６４Ｌ，５６４Ｒ，５６４Ｂも中継樋２４Ｌ，２４Ｒから下方に退避しているので、接続口５０５Ｌ，５０５Ｒから遊技球の流入を通路板部５６０への遊技球の流入が許容される。
【００７８】
昇降体５８３が下限位置にあるとき、揺動通路部材５５１は、通路板部５６０及び規制片５６４Ｌ，５６４Ｒ，５６４Ｂが、各接続口５０５Ｌ，５０５Ｒ，５０６の下辺５０５ａより下方に、該下辺５０５ａに対して前後方向に僅かに傾斜した状態で位置する流入位置になる（図１３（ａ）参照）。
【００７９】
つまり、この流入位置では、通路板部５６０が接続口５０５Ｌ，５０５Ｒに接続される中継樋２４Ｌ，２４Ｒよりも下方に位置するとともに、規制片５６４Ｌ，５６４Ｒ，５６４Ｂが中継樋２４Ｌ，２４Ｒから下方に退避しているので、中継樋２４Ｌ，２４Ｒの遊技球が接続口５０５Ｌ，５０５Ｒを介して通路板部５６０に流入可能となる。
【００８０】
また、昇降体５８３が上限位置にあるとき、揺動通路部材５５１は、通路板部５６０が各接続口５０５Ｌ，５０５Ｒ，５０６の下辺５０５ａより上方に、該下辺５０５ａに対して前後方向に傾斜した状態で位置するとともに、規制片５６４Ｌ，５６４Ｒ，５６４Ｂの一部が通路板部５６０と下辺５０５ａとの間に形成された隙間を塞ぐ規制位置になる（図１３（ｂ）参照）。
【００８１】
つまり、この規制位置では、通路板部５６０が接続口５０５Ｌ，５０５Ｒに接続される中継樋２４Ｌ，２４Ｒの上方に位置するとともに、規制片５６４Ｌ，５６４Ｒ，５６４Ｂが中継樋２４Ｌ，２４Ｒの底板上に進出しているので、中継樋２４Ｌ，２４Ｒの遊技球が接続口５０５Ｌ，５０５Ｒを介して通路板部５６０に流入することが困難となる。
【００８２】
このように、流入位置と規制位置との間で揺動可能に設けられた揺動通路部材５５１は、回収通路としての中継樋２４Ｌ，２４Ｒと揚送装置２５とを接続する合流通路５５０の一部を構成する通路板部５６０を有している。つまり、合流通路５５０の一部を構成する通路板部５６０が、中継樋２４Ｌ，２４Ｒに対し上下方向に移動可能に設けられていることで、規制位置において合流通路５５０の一部を遮断（流下規制）することが可能とされている。
【００８３】
揚送装置２５は、中継樋２４Ｌ，２４Ｒを流下した後、合流通路５５０にて合流し、通路板部５６０の落下孔５６３を通過してスノコレール５５２上に落下し、球導入通路１２３により誘導されて球流入口１２２を介して内部に流入した遊技球を、搬送ベルト１０３の移動により、アール状通路１２１及び直線状通路１１５、上部通路１１９内を移送させ、清浄布１１６により清浄しながら上方へ揚送し、本体１００の上部に設けられた排出口３８から排出することができるようになっている。
【００８４】
次に、このように構成されたシャッタ装置５００の作用について、図１４に基づいて説明する。尚、以下の説明においては、主に接続口５０５Ｌ，５０５Ｒにおける遊技球の流入状況について説明し、接続口５０６については後述する。
【００８５】
まず、揚送装置２５により上部タンク３に遊技球を揚送する場合、揺動通路部材５５１は流入位置に位置する。すなわち、通路板部５６０が中継樋２４Ｌ，２４Ｒの下方に位置するとともに、規制片５６４Ｌ，５６４Ｒ，５６４Ｂが中継樋２４Ｌ，２４Ｒから下方に退避しているので、中継樋２４Ｌ，２４Ｒを流下してきた遊技球は、接続口５０５Ｌ，５０５Ｒから落下して通路板部５６０上に流入する（図１４（ａ）参照）。
【００８６】
通路板部５６０上に落下した遊技球は、後側から前側に向けて流下しつつ落下孔５６３からスノコレール５５２上に落下した後、スノコレール５５２上を流下し、球流入口１２２を介して揚送装置２５の内部に誘導される。
【００８７】
次いで、上部タンク３への揚送を停止するために、揺動通路部材５５１の規制位置への揺動が開始されると、通路板部５６０は、回動軸５６７Ｌ，５６７Ｒを中心として揺動することで、通路板部５６０の左右側辺の前端部（回動軸５６７Ｌ，５６７Ｒと反対側の端部）が後端部（回動軸５６７Ｌ，５６７Ｒ側）よりも先に接続口５０５Ｌ，５０５Ｒの下辺５０５ａに到達し、前端部側から後端部側に向けて漸次上昇していく。
【００８８】
また、通路板部５６０の左右側辺とともに規制片５６４Ｌ，５６４Ｒが上昇してきて、接続口５０５Ｌ，５０５Ｒにおける通路板部５６０の左右側辺と下辺５０５ａとの間の領域を閉鎖していくため、該領域からスノコレール５５２への遊技球の落下が規制される。つまり、中継樋２４Ｌ，２４Ｒの接続端部に、遊技球の流出を規制する壁部が幅方向にわたり立設されていく（図１４（ｂ）参照）。
【００８９】
このように、揺動通路部材５５１は回動軸５６７Ｌ，５６７Ｒを中心として揺動可能に設けられていることで、通路板部５６０は、下辺５０５ａの長手方向の一端側から他端側に向けて漸次上方に突出、つまり、中継樋２４Ｌ，２４Ｒの下方から通路の幅方向に向けて漸次進出する。よって、上昇してきた規制片５６４Ｌ，５６４Ｒに流下が阻止された遊技球は、通路の幅方向に移動でき、通路の幅方向にわたり一斉に流下が阻止されないので、通路の幅方向にわたり通路板部５６０を一斉に上昇させる場合に比べて、昇降モータ５８０に無理な負荷がかかりにくい。
【００９０】
また、接続口５０５Ｌ，５０５Ｒの前側から流入が規制されていくとともに、通路板部５６０が後側に傾倒していくことで、遊技球は通路板部５６０の後側にのみ流入可能となっていく。そして、通路板部５６０の後側には落下孔５３０は形成されていないので、遊技球がある程度貯留され、溢れた遊技球が主に前後方向の略中央位置の落下孔５３０から落下するだけなので、スノコレール５２２への流入量は徐々に減少していく（図１４（ｂ）参照）。
【００９１】
そして規制位置になると、通路板部５６０は、後側の一部を除きほぼ下辺５０５ａよりも上方に位置するとともに、規制片５６４Ｌ，５６４Ｒにより接続口５０５Ｌ，５０５Ｒにおける通路板部５６０の左右側辺と下辺５０５ａとの間の領域が閉鎖されるため、中継樋２４Ｌ，２４Ｒから通路板部５６０への流入がほぼ規制される。
【００９２】
接続口５０５Ｌ，５０５Ｒの後側には、遊技球が通路板部５６０に流入可能な領域が僅かにあるが、通路板部５６０の後側への傾倒が大きくなり、中央の落下孔５３０が下辺５０５ａよりも上方にあるため、通路板部５６０上の後部にある遊技球は、中継樋２４Ｌ，２４Ｒからの後続球により大きな球圧がかからない限り、通路板部５６０を乗り上がって落下孔５３０から溢れ落ちることはない（図１４（ｃ）参照）。
【００９３】
また、通路板部５６０の左右対向位置からそれぞれ流入する遊技球を、規制片５６４Ｌ，５６４Ｒにより全て当接規制するのではなく、一部の遊技球を流入可能とすることで、通路板部５６０の上面にて、左右の中継樋２４Ｌ，２４Ｒの遊技球同士が互いの通路内の球圧を受けながら、後側に流下不能に維持されるので、規制片５６４Ｌ，５６４Ｒにかかる球圧が軽減される。
【００９４】
また、規制位置から流入位置まで下降する場合は、特に詳細な説明はしないが、流入位置から規制位置まで上昇する場合と逆の動作を行う。そしてこの場合、揺動通路部材５５１の下降に応じて少しずつ遊技球の流入規制が解除されていくため、堰き止めていた遊技球が一斉に揚送装置２５内に流入して球詰まりが生じること等がない。
【００９５】
また、接続口５０６においては、図１１に示すように、流入位置において通路板部５６０及び規制片５６４Ｂが接続口５０６の下辺よりも下方に位置するため、渡り樋５０７の遊技球が通路板部５６０に流入可能となる。一方、規制位置において通路板部５６０が接続口５０６の下辺とほぼ同高さ位置になるとともに、規制片５６４Ｂが下辺よりも上方に進出するため、渡り樋５０７の遊技球の通路板部５６０への流入が規制される。
【００９６】
また、接続口５０６は、回動軸５６７Ｌ，５６７Ｒに対して平行に設けられているため、揺動通路部材５５１が流入位置から規制位置に揺動する際に、規制片５６４Ｂは、接続口５０６の左右幅方向に渡り一斉に上昇することになるので、速やかに流下を規制することができる。
【００９７】
以上説明したように、本発明の実施例としての揚送装置２５にあっては、中継樋２４Ｌ，２４Ｒの遊技球は、揺動通路部材５５１が流入位置にあるときは、通路板部５６０が中継樋２４Ｌ，２４Ｒの下方に位置するとともに規制片５６４Ｌ，５６４Ｒが退避するため、通路板部５６０に流入可能となる。また、揺動通路部材５５１が規制位置にあるときは、通路板部５６０が中継樋２４Ｌ，２４Ｒの上方に位置することで該通路板部５６０への流入が困難または不可となるとともに、規制片５６４Ｌ，５６４Ｒが中継樋２４Ｌ，２４Ｒに進出して通路板部５６０への流入を阻止する。
【００９８】
また、揺動通路部材５５１を合流部に設けることで、各中継樋２４Ｌ，２４Ｒに対応する規制片５６４Ｌ，５６４Ｒを通路板部５６０に一体に設けることができ、これにより揺動通路部材５５１の移動に応じて複数の規制片５６４Ｌ，５６４Ｒが一斉に移動して複数の中継樋２４Ｌ，２４Ｒからの遊技球の流下を規制できるため、各中継樋２４Ｌ，２４Ｒ毎に規制片５６４Ｌ，５６４Ｒを変位可能に設ける必要がないばかりか、通路を構成する通路部材を利用して複数の規制片５６４Ｌ，５６４Ｒを連動させることができるので、部品点数を削減して構造を簡素化し、製造コストを低減することができる。
【００９９】
また、規制片５６４Ｌ，５６４Ｒは、板状部材からなる通路板部５６０の周縁から下方に屈曲させることにより該通路板部５６０に一体に形成されているため、中継樋２４Ｌ，２４Ｒの遊技球の球圧がかかっても、揺動通路部材５５１全体で受けることができるため、安定して規制することができる。
【０１００】
また、通路板部５６０を利用して複数の規制片５６４Ｌ，５６４Ｒ，５６４Ｂを連動させることで、複数の規制片５６４Ｌ，５６４Ｒ，５６４Ｂを連動させる連動部材等が不要であるため、部品点数を削減できるとともに、従来のように各回収通路それぞれにシャッタ装置を設けることなく、合流部において１つのシャッタ装置で複数の回収通路からの遊技球の流入を一斉に規制することができる。
【０１０１】
また、本実施例のシャッタ装置５００は、複数の回収通路からの遊技球が合流する合流部に、流入位置と規制位置との間で変位可能な可動通路部材を設けるとともに、その本体ユニット５０１の上部に駆動ユニット５０２を設けて可動通路部材を連結するだけで該可動通路部材を昇降させることができるため、既存の遊技機設置島に設置された揚送装置にも、簡単にシャッタ装置を設けることができる。
【０１０２】
また、シャッタ装置５００は、合流通路５５０を有する本体ユニット５０１と揺動通路部材５５１を揺動させる駆動ユニット５０２とがそれぞれユニット化されているため、シャッタ装置５００が必要な場合は本体ユニット５０１に駆動ユニット５０２を組み付けた製品を納品することができ、また、シャッタ装置５００が不要な場合は本体ユニット５０１のみを製品として納品する、つまり、遊技店の遊技機設置島に対応した仕様で製品を提供することができ、これにより複数種類の製品を予め用意する必要がないので、製造コストを低減できる。
【０１０３】
また、規制片５６４Ｌ，５６４Ｒ，５６４Ｂは、通路板部５６０の周縁における中継樋２４Ｌ，２４Ｒ及び渡り樋５０７に対応する位置から下方に向けて連設される壁部にて構成されていることで、揺動通路部材５５１が上昇することにより規制片５６４Ｌ，５６４Ｒ，５６４Ｂが下方から上昇して中継樋２４Ｌ，２４Ｒ及び渡り樋５０７からの遊技球の流出を規制するので、合流通路５５０と中継樋２４Ｌ，２４Ｒ及び渡り樋５０７との接続位置にある遊技球が規制片５６４Ｌ，５６４Ｒ，５６４Ｂに挟まれること等が防止される。
【０１０４】
尚、本実施例では、通路板部５６０の周縁における中継樋２４Ｌ，２４Ｒに対応する位置に設けられ、該中継樋２４Ｌ，２４Ｒから該通路板部５６０への遊技球の流入を規制する規制部は、板状部材の周縁を屈曲することにより形成される規制片５６４Ｌ，５６４Ｒにて構成されていたが、例えば肉厚の板部材にて揺動通路部材５５１を構成し、その上面を通路部、側端面を規制部としてもよい。
【０１０５】
また、遊技球の流下を当接により規制できるものであれば、規制片５６４Ｌ，５６４Ｒのような壁部にて構成されているものに限られず、網状部材、柵状部材、糸状部材等の他の部材にて構成されていてもよい。
【０１０６】
また、揺動通路部材５５１は、中継樋２４Ｌ，２４Ｒの幅方向の一端側に、該幅方向に対し略直交する方向に設けられた回動軸５６７Ｌ，５６７Ｒを中心として揺動可能に設けられていることで、規制位置に向けて移動する際に、中継樋２４Ｌ，２４Ｒの幅方向の一端側から他端側に向けて徐々に中継樋２４Ｌ，２４Ｒ上に進出していくことで、遊技球が徐々に規制または解除されるため、幅方向にわたり一斉に進出させる場合に比べて、昇降モータ５８０に無理な負荷がかかりにくい。
【０１０７】
また、回動軸５６７Ｌ，５６７Ｒは、中継樋２４Ｌ，２４Ｒに対し幅方向に離れた位置に設けられているため、中継樋２４Ｌ，２４Ｒの幅方向にわたり通路板部５６０を中継樋２４Ｌ，２４Ｒ上に進出させることができるので、遊技球の流入を確実に規制できる。
【０１０８】
また、本実施例では、揺動通路部材５５１を揺動させていたが、例えば図１５に示すように、中継樋２４Ｌ，２４Ｒに対し略平行な状態で流入位置（図１５中実線位置参照）と規制位置（図１５中２点鎖線線位置参照）との間で直線移動（上下動）可能に支持する支持手段を備えていてもよい。
【０１０９】
具体的には、支持手段は、本体ユニット５０１に固定された上下方向を向く案内部としてのガイド棒５９０と、揺動通路部材５５１の前板部５６１の前面に固設され、ガイド棒５９０に摺動可能に挿入された被案内部としての筒状部材５９１と、により構成されていてもよい。尚、これら支持手段は揺動通路部材５５１の複数箇所に設けられていることが好ましい。駆動手段は、前記実施例と同様に、昇降モータ５８０、昇降ロッド５８１、ギヤボックス５８２、昇降体５８３、リンク部材５７４及び制御装置にて構成されていればよい。
【０１１０】
この場合、揺動通路部材５５１は、規制位置または流入位置に移動する際に、中継樋２４Ｌ，２４Ｒの幅方向にわたり一斉に進出または退避するので、中継樋２４Ｌ，２４Ｒの遊技球を一斉に規制または解除することができるため、遊技球を速やかに規制または解除できる。また、支持手段により支持されるため、規制部に回収通路からの球圧がかかっている状態でも、安定して移動させることができる。
【０１１１】
また、このように上下動可能に設けた場合において、通路板部５６０を水平にするのではなく、前後方向に傾倒させた状態で昇降させるようにしてもよい。
【０１１２】
また、本実施例のシャッタ装置５００は、揚送装置２５における直線状通路カバー１０４と反対側に配設されているため（図４参照）、揚送装置２５の清浄布１１６の交換などメンテナンス作業等の邪魔になることがない。
【０１１３】
また、本実施例の揺動通路部材５５１は、流入位置において前側から後側に向けて下方に傾斜するように配設され、中継樋２４Ｌ，２４Ｒから流入した遊技球を後側に向けて流下させるとともに、複数の落下孔５６３から下方に落下させるように構成されていたが、中継樋２４Ｌ，２４Ｒから流入した遊技球を揚送装置２５に流入可能とするものであれば、このように複数の落下孔５６３から下方に落下させるものに限定されるものではなく、例えば、遊技球を後側に向けて流下させた後、後端から下方に落下させるものであってもよい。さらに、上記のような板状部材にて構成されていなくてもよく、例えばスノコレール５５２のようなレール部材にて構成されていてもよい。
【０１１４】
また、合流通路５５０は、揺動通路部材５５１の通路板部５６０とスノコレール５５２とにより、側面視略くの字形に構成されていたが、揚送装置２５に遊技球を流入可能とする通路であれば流下形態は種々に変更可能であり、通路板部５６０のみにより構成されていてもよい。
【０１１５】
また、前記実施例では、回収通路の一例として、合流部の左右側に連結される中継樋２４Ｌ，２４Ｒ及び渡り樋５０７にて構成されていたが、４以上の通路が合流する箇所に可動通路部材を設けてもよい。
【０１１６】
以上、本発明の実施例を図面により説明してきたが、具体的な構成はこれら実施例に限られるものではなく、本発明の要旨を逸脱しない範囲における変更や追加があっても本発明に含まれる。
【０１１７】
例えば、前記実施例の揚送装置２５は、本体１００の上下に設けられた上部ローラ１０１と下部ローラ１０２とに掛け渡され、上部ローラ１０１及び下部ローラ１０２の回転により周回する搬送ベルト１０３と、下部ローラ１０２を駆動させる揚送モータ８０と、を備え、揚送モータ８０を駆動して下部ローラ１０２を回転させて搬送ベルト１０３を回転させることにより遊技球を揚送する揚送装置２５が適用されていたが、例えば直線状通路１１５の下部に設けた駆動スプロケット等を回転駆動することにより、遊技球を揚送する揚送装置等を適用してもよい。
【０１１８】
また、前記実施例では、シャッタ装置５００は、揚送装置２５の一部を構成する装置として記載したが、揚送装置２５とは別個の装置として構成されていてもよい。
【符号の説明】
【０１１９】
１                  遊技機設置島
２                  パチンコ遊技機
２５                揚送装置
５００              シャッタ装置
５０５ａ            下辺
５０５Ｌ，５０５Ｒ，５０６  接続口
５５０              合流通路
５５１              揺動通路部材
５６０              通路板部
５６３              落下孔
５６４Ｌ，５６４Ｒ，５６４Ｂ  規制片
５６７Ｌ，５６７Ｒ  回動軸
５８０              昇降モータ
【図１】
0005985193.tif 000002
【図２】
0005985193.tif 000003
【図３】
0005985193.tif 000004
【図４】
0005985193.tif 000005
【図５】
0005985193.tif 000006
【図６】
0005985193.tif 000007
【図７】
0005985193.tif 000008
【図８】
0005985193.tif 000009
【図９】
0005985193.tif 000010
【図１０】
0005985193.tif 000011
【図１１】
0005985193.tif 000012
【図１２】
0005985193.tif 000013
【図１３】
0005985193.tif 000014
【図１４】
0005985193.tif 000015
【図１５】
0005985193.tif 000016